(57)【要約】【課題】  冷却能率が高く長期保存が可能な遺体保管装置を安価に提供する。【解決の手段】  遺体保管装置４の遺体載置台４０の天板４１に冷却装置１が４個取り付けられている。冷却装置１のペルチエ素子２１の冷熱を伝える伝熱部材３は天板４１を貫通して上方に突出し、遺体８に直接接触することができる。冷却装置１１は遺体の首部に配置されているので首部を凍結して、異臭や汚物が外部に漏出することを防止して、遺体を長時間保存することができる。他の３個の冷却装置１２は遺体の胴体部に分散配置されている。【選択図】  図１
0003135428.tif 000002
【実用新案登録請求の範囲】
【請求項１】
箱形の遺体載置台および該遺体載置台の天板と基台との間に取り付けられた少なくとも１個の冷却装置を備えた遺体保管装置であって、上記冷却装置は熱電子冷却素子を有する熱電子冷却ユニットと上記熱電子冷却素子の吸熱面に密着される接触面とその反対側に遺体の要部に直接接触する伝熱面を有する伝熱部材とを備え、上記伝熱部材は上記天板を貫通して上方に突出し遺体を載置する形状を有することを特徴とする遺体保管装置。
【請求項２】
上記冷却装置を少なくとも２個以上備え、そのうちの１個の冷却装置の伝熱部材は遺体の首部を載置する位置に、他の少なくとも１個以上の冷却装置の伝熱部材は遺体の胴体部を載置する位置にそれぞれ配置されていることを特徴とする請求項１に記載された遺体保管装置。
【請求項３】
上記箱形の遺体載置台は下面に少なくとも３個のキャスターを備えていることを特徴とする請求項１に記載された遺体保管装置。
【請求項４】
上記箱形の遺体載置台の上部には着脱自在のカバーを設けたことを特徴とする請求項１に記載された遺体保管装置。
【考案の詳細な説明】
【技術分野】
【０００１】
本考案は、熱電子冷却素子の冷熱を熱伝導によって遺体に伝え、遺体を直接冷却して、遺体を長時間保冷し、遺体の腐敗や雑菌の繁殖を防止する遺体保管装置に関する。
【背景技術】
【０００２】
棺桶の遺体を保冷するために通常ドライアイスが使用されている。ところがドライアイスは気化して炭酸ガスとなるので地球温暖化の見地からその使用が制限されている。
【０００３】
ドライアイスに替わるものとして、冷凍機の冷気を棺桶内に導入して、遺体の保冷を行う装置が種々提案されている。その大部分は、別置きの冷凍装置から冷気をゴムホースによって棺桶内に導入する方式のものが多い。この装置の場合は、冷気を導入するホースの長さによって設置位置が制限を受けると共に、ホースを引きずっているので移動性に欠けるという欠点がある。
【０００４】
そこで、空気冷却機を内蔵するキャスタの上に棺桶を載置する棺桶保冷装置が提案され、特開２００３−１９０２３２号公報に開示された。
【特許文献１】特開２００３−１９０２３２号公報
【０００５】
上記特開２００３−１９０２３２号公報に開示されている棺桶保冷装置は、冷気流通棺自体を遺体の棺桶として使用しているので、既存の棺桶が使用できない、特別の構造をしているので特注になる等の理由で高価になる欠点がある。
【０００６】
使用済み棺桶保冷装置を再度使用することもできるが、衛生面や使用者の心情の問題から余り好ましくない。従って、引例の発明の冷気流通棺は遺体と共に焼却されるので、特注の棺桶をその都度製作することになり高価になり不経済である。
【０００７】
また、この構造では冷気流通棺に遺体を収容して棺冷却装置の上に載置してから冷却装置を始動することになるので、冷却の立ち上がりが悪いという欠点がある。
【０００８】
そこで、熱電子冷却素子を利用して効率よく遺体を冷却し保管するマットレスが提案され、実用新案登録第３１１９５５４号公報に開示された。
【特許文献２】実用新案登録第３１１９５５４号公報
【０００９】
上記実用新案登録第３１１９５５４号公報に開示されているマットレスは熱電子冷却素子の冷熱を比較的面積の広い冷却版に伝え遺体の要部を冷却するように構成されている。頭部の冷却板は後頭部を受け入れるように皿状に形成され、また、胴体部を載置する冷却板は胴体部全体をカバーするように幅広の板材が使用されている。
【００１０】
ところが、熱電子冷却素子の面積よりも広い冷却板を作成し、実際に使用してみたが、初期の冷却温度を確保するのが難しいことがわかった。これは、冷却板の伝熱面が広すぎて熱電子冷却素子の能力以上の冷熱が消費されて、冷却板の温度が予定通り下がらないものと思われる。
【００１１】
さらに、実際に使用してみると、頭部全体を冷やしても遺体の腐敗防止にはあまり役に立たないことが分かった。そこで、首部を集中的に冷却し、零度以下に保冷すると、内蔵等から発生する汚臭や汚物は首部で阻止され、外部に発散しないことが分かった。
【００１２】
また、このマットレスは棺桶の中に敷きその上に遺体を載置するので、葬儀が終わった後で火葬のために出棺する際、いちいちマットレスを取り外さなければならないので、その手間がかかると共に葬儀の進行を妨げるという問題が発生した。
【考案の開示】
【考案が解決しようとする課題】
【００１３】
本考案は、熱電子冷却素子の冷熱を効率よく伝導して冷却効率の高い遺体保管装置を安価に提供することを第１の目的とする。
【００１４】
本考案は、従来の棺桶を使用しなくても、そのまま葬儀用の棺桶としても使用できる遺体保管装置を提供することを第２の目的とする。
【００１５】
本考案は、従来の棺桶に遺体を収容したままで熱電子冷却ユニットの伝熱部材と容易に結合又は解離できる遺体保管装置を提供することを第３の目的とする。
【課題を解決するための手段】
【００１６】
本考案の遺体保管装置は、箱形の遺体載置台および該遺体載置台の天板と基台との間に取り付けられた少なくとも１個の冷却装置を備えた遺体保管装置であって、上記冷却装置は熱電子冷却素子を有する熱電子冷却ユニットと上記熱電子冷却素子の吸熱面に密着される接触面とその反対側に遺体の要部に直接接触する伝熱面を有する伝熱部材とを備え、上記伝熱部材は上記天板を貫通して上方に突出し遺体を載置する形状を有することを特徴とする。
【００１７】
そして、本考案の遺体保管装置は、上記熱電子冷却ユニットを少なくとも２個以上備え、そのうちの１個の熱電子冷却ユニットの伝熱部材は遺体の首部を載置する位置に、他の少なくとも１個以上の熱電子冷却ユニットの伝熱部材は遺体の胴体部を載置する位置にそれぞれ配置されている。胴体部に配置される熱電子冷却ユニットは２個〜４個を胸部、腹部に分散配置するのが好ましい。
【００１８】
箱形の遺体載置台は下面に少なくとも３個のキャスターを備えているので、移動を容易にする。もちろんこのキャスターにはストッパーを備えることが好ましい。
【００１９】
箱形の遺体載置台の上部には着脱自在のカバーを設けることができる。このカバーは硬質透明のプラスチック製、例えば、アクリル樹脂製とするのが好ましい。場合によっては、下半身の部分や側面を不透明にすることもできる。
【００２０】
従来の棺桶をそのまま使用する場合は、予め棺桶の底部に伝熱部材が貫通して棺桶内に突出するように、伝熱部材に対応する位置に貫通孔を削設しておく必要がある。
【００２１】
熱電子冷却素子は交流−直流変換器を介して交流電源に接続する端子を有する。従って、この熱電子冷却素子は家庭用の交流電源を使用して駆動することができる。なお、熱電子冷却素子としてはペルチエ素子を例示することができる。
【考案の効果】
【００２２】
（１）本考案の遺体保管装置は、熱電子冷却素子の冷熱を伝導する伝熱部材は遺体載置台の天板を貫通して上方に突出し遺体を載置する形状を有しているので、天板の上に遺体を載置すると伝熱部材は直接遺体に接触して、効率よく遺体を冷却することができる。
【００２３】
（２）本考案の遺体保管装置は、熱電子冷却ユニットを少なくとも２個以上備え、そのうちの１個の熱電子冷却ユニットの伝熱部材は遺体の首部を載置する位置に配置されているので、遺体の首部を零度以下に冷却でき、臓器から発する異臭や汚物を首部で阻止して外部に発散させずに遺体を長期間保存することができる。
【００２４】
（３）本考案の遺体保管装置は、少なくとも１個以上の比較的伝熱面積の小さな熱電子冷却ユニットを遺体の胴体部に分散配置しているので、各熱電子冷却ユニットの冷却効率を高め、腐敗しやすい部分をより低温度に冷却し、遺体の腐敗を防止することができる。
【００２５】
（４）本考案の遺体保管装置は、上部には着脱自在のカバーが設けられているので、このカバーを透明な素材で構成すれば、この遺体保存装置をそのまま葬儀用の棺桶として使用することができる。
【００２６】
本考案の遺体保管装置の伝熱部材は、天板を貫通して上方に突出しているので、従来の棺桶の底面に予め伝熱部材の位置と大きさに対応した貫通孔を削設しておいて、この棺桶に遺体を収納した後、天板の上に載置すると、天板より突出した伝熱部材は直接遺体に接触して遺体を冷却することができる。すなわち、棺桶に遺体を収納したままで遺体と遺体保管装置との接触および解離を行うことができる。
【００２７】
本考案の遺体保管装置は、遺体載置台の下面に少なくとも３個のキャスターを備えているので、移動、運搬が容易である。
【考案を実施するための最良の形態】
【００２８】
本考案の最良の実施形態を次の実施例によって説明する。
【実施例】
【００２９】
本考案の遺体保存装置４は、図１〜図３に示されるように、天板４１、基板４２、４枚の側板４３よりなる遺体載置台４０、この遺体載置台４０を載せる架台６および遺体載置台４の上に被せるカバー７よりなる。天板４１には冷却装置１が４個取り付けられている。１１は首部載置用の冷却装置、１２は胴体部載置用の冷却装置である。天板４１には貫通孔４１１が開けられていて、冷却装置１の伝熱部材３が上方に突出している。
【００３０】
冷却装置１は図５〜図７に示されるように、熱電子冷却ユニット２と伝熱部材３を備えている。伝熱部材３にはアルミニウムのダイキャス成型品が用いられている。首部載置用の冷却装置１１の伝熱部材３１は背が高く、しかも上面には両端に隆起部３２１が設けられ、首が安定して載置することができるようになっている。胴体部載置用の冷却装置１２（図１）の伝熱部材３２は背が低く、上面がフラットになっている。
【００３１】
熱電子冷却ユニット２はペルチエ素子２１、ヒートシンク２２、フアン２３より構成されている。ペルチエ素子２１の吸熱側セラミック面２１１と伝熱部材３１の下面３１１とは接着剤で接合されている。ペルチエ素子２１の放熱側セラミック面２１２にはヒートシンク２２が接合されている。伝熱部材３１とヒートシンク２２は２本の固定ねじ３３によって強固に結合され、その間にペルチエ素子２１が挟持されている。
【００３２】
図６に示されるように、ヒートシンク２２の櫛歯状のフイン２２１の下方にはフアン２３のケース２３２が取付板２４を介して取り付けられている。ケース２３２の内部にはフアン２３が３本の支持腕２３１によって固定されている。取付板２４とフアンのケース２３２とは取付ボルト２３３によって結合されている。
【００３３】
図１および図６に示すように冷却装置１は２個のＬアングル４４、４４によって天板４１に固定されている。Ｌアングル４４の上片４４１は天板４１に固定ねじで固定され、側片４４２には固定ねじ４４３によって取付板２４を介してヒートシンク２２が固定されている。天板４１の遺体の足部を載置する部分には数本の補強用のＬアング４４が取り付けられている。
【００３４】
図１および図３に示されるように、遺体載置台４０の側壁４３はアルミ製の中空の断面方形の型材から構成されている。側壁４３の上面の外側の４周端部は凹まされてケース７を嵌合するための嵌合部４３１が設けられ、内側の４周端部は凹まされて天板４１を嵌合するための嵌合部４３２が設けられている。
【００３５】
架台６は図４に示めされるように４本の足６２を持つ台座で、４本の足の先にはストッパー付きのキャスター６１が取り付けられている。架台６の上に遺体載置台４０を載せ、両者をボルトで固定する。
【００３６】
図８は本考案の遺体保管装置の電気部品の配置図で、(ａ）は基板の部品配置図、（ｂ）はパネルの部品配置図を示すものである。図中７１は ＡＣ−ＤＣコンバータ、７２はスイッチ、７３はコンセント、７５はＡＣ１００Ｖの配線コード、７６はＤＣ１２Ｖ、６Ａの配線コード、７７はパネルを示す。
【００３７】
図９は本考案の遺体保管装置の配線図を示すもので、電源からのＡＣ１００Ｖの電流はＡＣコード７５によってコンセント７３を経てスイッチ７２で分岐され４つのＡＣ−ＤＣコンバータ７１、７１、７１、７１に送られる。各コンバータ７１でＤＣに変換された電流はＤＣコード７６によってそれぞれの冷却装置１１または１２に送られペルチエ素子２１またはフアン２３を駆動する。
【００３８】
遺体保存装置４はカバー７を備えているが、既製の棺桶を使用する場合は、カバー７をはずす。棺桶の下面に予め４つの冷却装置１の位置に対応する位置に貫通孔を開けておく。そして遺体８を収納した棺桶を遺体載置台４０の上に載せる。４つの冷却装置１の伝熱部材３は棺桶の貫通孔を突き抜けて直接遺体に接触する。そして、冷却装置１の電源を入れれば、ペルチエ素子２１の冷熱は伝熱部材３を介して遺体に伝えられ、遺体は冷却される。出棺の際棺桶を持ち上げれば、自然に冷却装置１は棺桶からはずれ、棺桶はそのまま霊柩車に移動することができる。
【産業上の利用可能性】
【００３９】
本考案の冷却装置は魚介類等の生鮮食品の冷凍保存装置としても利用できる。
【図面の簡単な説明】
【００４０】
【図１】本考案の遺体保管装置の図２のＩＶ−ＩＶ線による縦断面図。
【図２】本考案の遺体保管装置の平面図。
【図３】図１のＩ−Ｉ線による縦断面図。
【図４】架台の斜視図。
【図５】冷却装置の図７のＩＩ−ＩＩ線による縦断面図。
【図６】図５のＩＩＩ−ＩＩＩ線による縦断面図。
【図７】冷却装置の平面図。
【図８】本考案の遺体保管装置の電気部品の配置図で、(ａ）はパネルの部品配置図、（ｂ）は基板の部品配置図である。
【図９】本考案の遺体保管装置の配線図。
【符号の説明】
【００４１】
１  冷却装置
１１  首部用冷却装置
１２  胴体部用冷却装置
２  熱電子冷却ユニット
２１  ペルチエ素子
２２  ヒートシンク
２３  フアン
３  伝熱部材
３１  首部載置用伝熱部材
３２  胴体部載置用伝熱部材
４  遺体保管装置
４０  遺体載置台
４１  天板
４２  基板
４３  側板
６  架台
７  カバー
７１  ＡＣ−ＤＣコンバータ
７２  スイッチ
７３  コンセント
８  遺体
【図１】
0003135428.tif 000003
【図２】
0003135428.tif 000004
【図３】
0003135428.tif 000005
【図４】
0003135428.tif 000006
【図５】
0003135428.tif 000007
【図６】
0003135428.tif 000008
【図７】
0003135428.tif 000009
【図８】
0003135428.tif 000010
【図９】
0003135428.tif 000011